(57)【要約】【課題】局データの変更状況を確実かつ容易に把握することが可能な局データ管理システム及び局データ管理方法を提供すること。【解決手段】ログイン制御手段１１ａと、ログアウト制御手段１１ｂと、局データを変更する局データ変更手段１１ｃと、局データの変更内容を記憶する局データ変更履歴テーブル１５と、各種情報をユーザに対して通知するための通知手段１９ａ、２０ａと、を備え、ログイン制御手段１１ａは、ログインを要求するログイン者のログイン認証が正常に行われた際に、ログイン者の前回のログイン以降に他のユーザによるログインが行われたか否かを確認し、他のユーザによるログインが行われていた場合に、他のユーザによる局データの変更に関する事項を記録した作業メモを含む通知情報を、通知手段１９ａ、２０ａを通じてログイン者に通知する局データ管理システム。【選択図】図１
2014150499.tif 000002
【特許請求の範囲】
【請求項１】
電子式自動構内交換機の局データを管理するための局データ管理システムであって、
前記電子式自動構内交換機へのログイン認証を制御するログイン制御手段と、
前記電子式自動構内交換機からのログアウトを制御するログアウト制御手段と、
ログイン中のユーザからの指示に基づいて前記局データを変更する局データ変更手段と、
前記局データ変更手段による前記局データの変更内容を記憶する局データ変更履歴テーブルと、
各種情報をユーザに対して通知するための通知手段と、
を備え、
前記ログイン制御手段は、ログインを要求するログイン者のログイン認証が正常に行われた際に、前記ログイン者の前回のログイン以降に他のユーザによるログインが行われたか否かを確認し、前記他のユーザによるログインが行われていた場合に、前記他のユーザによる前記局データの変更に関する事項を記録した作業メモを含む通知情報を、前記通知手段を通じて前記ログイン者に通知することを特徴とする局データ管理システム。
【請求項２】
前記通知情報には、前記他のユーザを特定するユーザ識別情報が含まれることを特徴とする請求項１に記載の局データ管理システム。
【請求項３】
前記ログアウト制御手段は、ユーザからログアウトを要求された際に、作業メモの作成を要求する作業メモ作成要求を、前記通知手段を通じてログアウトを要求したログアウト者に通知することを特徴とする請求項１または請求項２に記載の局データ管理システム。
【請求項４】
前記ログアウト制御手段は、前記作業メモ作成要求を通知する際に、前記ログアウト者が今回のログイン中に変更した前記局データを、前記通知手段を通じて前記ログアウト者に通知することを特徴とする請求項３に記載の局データ管理システム。
【請求項５】
前記ログイン制御手段は、前記ログイン者のログイン認証が正常に行われた際に、前記ログイン者以外にログイン中の他のユーザがいるか否かを確認し、前記ログイン中の他のユーザがいる場合に、前記他のユーザを特定するユーザ識別情報を、前記通知手段を通じて前記ログイン者に通知することを特徴とする請求項１乃至請求項４のいずれか１項に記載の局データ管理システム。
【請求項６】
前記ログイン制御手段は、前記ログイン中の他のユーザがいる場合に、前記ログイン中の他のユーザによって前記局データの変更が行われたか否かを確認し、前記ログイン中の他のユーザによる前記局データの変更の有無を、前記通知手段を通じて前記ログイン者に通知することを特徴とする請求項５に記載の局データ管理システム。
【請求項７】
前記ログイン制御手段は、前記ログイン者のログイン認証が正常に行われた際に、前記ログイン者以外にログイン中の他のユーザがいるか否かを確認し、前記ログイン中の他のユーザがいる場合に、前記ログイン者を特定するユーザ識別情報を、前記通知手段を通じて前記ログイン中の他のユーザに通知することを特徴とする請求項１乃至請求項６のいずれか１項に記載の局データ管理システム。
【請求項８】
前記ログアウト制御手段は、ユーザからログアウトを要求された際に、ログアウトを要求したログアウト者以外にログイン中の他のユーザがいるか否かを確認し、前記ログイン中の他のユーザがいる場合に、前記ログアウト者を特定するユーザ識別情報と、前記ログアウト者による前記局データの変更に関する事項を記録した作業メモとを、前記通知手段を通じて前記ログイン中の他のユーザに通知することを特徴とする請求項１乃至請求項７のいずれか１項に記載の局データ管理システム。
【請求項９】
ログイン中のユーザからの確認要求に従って、前記確認要求を行ったユーザ以外にログイン中の他のユーザがいるか否かを確認し、前記ログイン中の他のユーザがいる場合に、前記他のユーザを特定するユーザ識別情報と、前記他のユーザが変更した局データとを、前記通知手段を通じて前記確認要求を行ったユーザに通知する確認手段を更に備えていることを特徴とする請求項１乃至請求項８のいずれか１項に記載の局データ管理システム。
【請求項１０】
電子式自動構内交換機の局データを管理するための局データ管理方法であって、
前記電子式自動構内交換機へのログインを要求するログイン者のログイン認証が正常に行われた際に、前記ログイン者の前回のログイン以降に他のユーザによるログインが行われたか否かを確認し、前記他のユーザによるログインが行われていた場合に、前記他のユーザによる前記局データの変更に関する事項を記録した作業メモを含む通知情報を、前記通知手段を通じて前記ログイン者に通知することを特徴とする局データ管理方法。
【発明の詳細な説明】
【技術分野】
【０００１】
本発明は、電子式自動構内交換機の局データを管理するための局データ管理システム及び局データ管理方法に関する。
【背景技術】
【０００２】
従来、加入者データ（局データ）の変更内容を加入者データベースに蓄積することにより、加入者データの変更履歴を一括管理する加入者データベース変更履歴管理方式が知られている（例えば、特許文献１参照。）。
【先行技術文献】
【特許文献】
【０００３】
【特許文献１】特開平０２−２６５３４３号公報
【発明の概要】
【発明が解決しようとする課題】
【０００４】
ところが、特許文献１に記載の加入者データベース変更履歴管理方式では、加入者データベースから加入者データの変更履歴を取得する行為が手動であるため、加入者データに変更があるか否かを確認する作業を保守者が忘れてしまい、保守者が加入者データの変更状況を把握しないまま加入者データの変更作業を進めてしまうことによって、加入者データの設定間違いが起きる恐れがあるという問題があった。
【０００５】
そこで、本発明は、従来の問題を解決するものであって、すなわち、本発明の目的は、局データの変更状況を確実かつ容易に把握することが可能な局データ管理システム及び局データ管理方法を提供することである。
【課題を解決するための手段】
【０００６】
本発明の局データ管理システムは、電子式自動構内交換機の局データを管理するための局データ管理システムであって、前記電子式自動構内交換機へのログイン認証を制御するログイン制御手段と、前記電子式自動構内交換機からのログアウトを制御するログアウト制御手段と、ログイン中のユーザからの指示に基づいて前記局データを変更する局データ変更手段と、前記局データ変更手段による前記局データの変更内容を記憶する局データ変更履歴テーブルと、各種情報をユーザに対して通知するための通知手段と、を備え、前記ログイン制御手段は、ログインを要求するログイン者のログイン認証が正常に行われた際に、前記ログイン者の前回のログイン以降に他のユーザによるログインが行われたか否かを確認し、前記他のユーザによるログインが行われていた場合に、前記他のユーザによる前記局データの変更に関する事項を記録した作業メモを含む通知情報を、前記通知手段を通じて前記ログイン者に通知することにより、前述した課題を解決したものである。
【０００７】
本発明の局データ管理方法は、電子式自動構内交換機の局データを管理するための局データ管理方法であって、前記電子式自動構内交換機へのログインを要求するログイン者のログイン認証が正常に行われた際に、前記ログイン者の前回のログイン以降に他のユーザによるログインが行われたか否かを確認し、前記他のユーザによるログインが行われていた場合に、前記他のユーザによる前記局データの変更に関する事項を記録した作業メモを含む通知情報を、前記通知手段を通じて前記ログイン者に通知することにより、前述した課題を解決したものである。
【発明の効果】
【０００８】
本発明では、ログイン時に、ログインを要求するログイン者に対して、他のユーザによる局データの変更に関する事項を記録した作業メモを通知することにより、局データの変更状況を確実かつ容易に把握することができる。
【図面の簡単な説明】
【０００９】
【図１】本発明の第１実施形態である局データ管理システムの構成を概略的に示す説明図である。
【図２】中央制御部の構成を示す説明図である。
【図３】ログイン情報テーブルのデータ構成の一例を示す説明図である。
【図４】局データ変更履歴テーブルのデータ構成の一例を示す説明図である。
【図５】本発明の第１実施形態である局データ管理システムにおける処理フローを示すフローチャート図である。
【図６】図５のフローチャート図に続くフローチャート図である。
【図７】本発明の第２実施形態である局データ管理システムの処理フローの概要を示す説明図である。
【図８】本発明の第２実施形態である局データ管理システムにおける処理フローを示すフローチャート図である。
【図９】図８のフローチャート図に続くフローチャート図である。
【図１０】図９のフローチャート図に続くフローチャート図である。
【図１１】本発明の第３実施形態である局データ管理システムの中央制御部の構成を示す説明図である。
【図１２】本発明の第３実施形態である局データ管理システムにおける処理フローを示すフローチャート図である。
【発明を実施するための形態】
【００１０】
以下、本発明の局データ管理システムの複数の実施形態について、図面に基づいて説明する。
【実施例】
【００１１】
本発明の第１実施形態である局データ管理システムは、図１に示すように、電子式自動構内交換機１０と、電子式自動構内交換機１０にＬＡＮ等の回線を介して接続された第１の端末１９及び第２の端末２０とで構成されている。
【００１２】
電子式自動構内交換機１０は、図１に示すように、中央制御部１１と、電子式自動構内交換機１０の局データを保持する局データ記憶部１２と、記憶部１８と、記憶部１８に格納されるユーザ情報テーブル１３と、記憶部１８に格納されるログイン情報テーブル１４と、記憶部１８に格納される局データ変更履歴テーブル１５と、時刻情報を供給する内部時計１６と、通信を行う通信部１７とを有している。
【００１３】
中央制御部１１は、ＣＰＵ等で構成され、局データ記憶部１２及び記憶部１８は、ＲＯＭ、ＲＡＭ等で構成されている。なお、本実施形態では、各種テーブル１３、１４、１５が記憶部１８に格納されているものとして説明するが、各種テーブル１３、１４、１５の保持形態は如何なるものでもよい。
【００１４】
中央制御部１１は、図２に示すように、電子式自動構内交換機１０へのログイン認証を制御するログイン制御部１１ａと、電子式自動構内交換機１０からのログアウトを制御するログアウト制御部１１ｂと、ログイン中のユーザからの指示に基づいて局データを変更する局データ変更部１１ｃとを有している。
【００１５】
ユーザ情報テーブル１３は、電子式自動構内交換機１０にログインするユーザを識別するためのユーザ識別情報を格納している。
【００１６】
ログイン情報テーブル１４は、図３に示すように、ユーザ名と、ユーザがログインしたログイン日時と、ユーザがログアウトしたログアウト日時と、ユーザが作成した作業メモとを格納する。
【００１７】
局データ変更履歴テーブル１５は、図４に示すように、ユーザ名と、局データを変更した変更日時と、変更した局データとを格納する。
【００１８】
第１の端末１９及び第２の端末２０は、図１に示すように、保守者（ユーザ）Ａ、Ｂが局データの保守を行うために利用する端末である。第１の端末１９及び第２の端末２０は、本実施形態では通常のパーソナルコンピュータとして構成され、ディスプレイ等の表示部１９ａ、２０ａ、制御部、記憶部、キーボード等の入力部、出力部、ネットワークインターフェース等を備えている。なお、以下の説明においては、局データの保守を行うために、保守者Ａが第１の端末１９を利用し、保守者Ｂが第２の端末２０を利用するものとして説明するが、保守者Ａ、Ｂが同一の端末を利用して局データの保守を行うようにしてもよい。なお、本実施形態では、保守者Ａ、Ｂに対して各種情報を通知する通知手段として、表示部１９ａ、２０ａを用いているが、通知手段の具体的な態様は如何なるものでもよい。
【００１９】
つぎに、第１実施形態における局データ管理システムの処理フローについて、図５及び図６に基づいて以下に説明する。
【００２０】
以下においては、保守者Ａが電子式自動構内交換機１０にログインして局データの変更を行った後にログアウトし、その後、保守者Ｂが電子式自動構内交換機１０にログインしたときに、保守者Ａによって局データが変更された旨が保守者Ｂに対して通知される流れを説明する。ユーザ情報テーブル１３には、局データを保守する保守者のユーザ識別情報が予め登録されている。
【００２１】
まず、保守者Ａが第１の端末１９を利用してログインを開始する（ＳＴＥＰ３０）と、ログイン制御部１１ａは、通信部１７を通じて保守者Ａからログインの要求を受け取り、ユーザ情報テーブル１３を参照して保守者Ａのログイン認証を行う（ＳＴＥＰ３１）。
【００２２】
次に、保守者Ａのログイン認証が成功すると、ログイン制御部１１ａは、ログイン情報テーブル１４を参照し、保守者Ａの前回のログイン以降に他のユーザがログインしたかを確認する（ＳＴＥＰ３２）。
【００２３】
この際、他のユーザのログインがない場合は、内部時計１６を参照してログイン日時を取得してログイン日時を保持し（ＳＴＥＰ３３）、ログイン処理は完了となる（ＳＴＥＰ３４）。
【００２４】
次に、保守者Ａが第１の端末１９を利用して局データの変更を開始する（ＳＴＥＰ３５）と、局データ変更部１１ｃは、通信部１７を通じて保守者Ａからの指示を受け取り、局データ記憶部１２内の局データを更新し（ＳＴＥＰ３６）、内部時計１６を参照して変更日時を取得し（ＳＴＥＰ３７）、局データ変更履歴テーブル１５に、ユーザ名、変更日時、変更した局データを保存する（ＳＴＥＰ３８）。
【００２５】
以降、保守者Ａが局データの変更を終了する（ＳＴＥＰ３９）まで、局データを更新する度に、ＳＴＥＰ３６〜ＳＴＥＰ３８の処理を繰り返す。
【００２６】
次に、保守者Ａが第１の端末１９を用いてログアウトを開始する（ＳＴＥＰ４０）と、ログアウト制御部１１ｂは、通信部１７を通じて保守者Ａからログアウトの要求を受け取り、局データ変更履歴テーブル１５を参照し、保持しておいた保守者Ａの今回のログイン日時をもとに、保守者Ａの今回のログイン以降に更新した情報を抽出し（ＳＴＥＰ４１）、保守者Ａが利用する第１の端末１９の第１の表示部１９ａに、変更した局データを表示させる（ＳＴＥＰ４２）。
【００２７】
次に、保守者Ａは、第１の表示部１９ａに表示された局データを参照して、第１の端末１９を用いて作業メモを入力する（ＳＴＥＰ４３）。ここで、作業メモは、保守作業の概要や目的を記録するものである。
【００２８】
次に、ログアウト制御部１１ｂは、内部時計１６を参照してログアウト日時を取得し（ＳＴＥＰ４４）、保持しておいたログイン日時、ログアウト日時、作業メモを、ログイン情報テーブル１４に保存し（ＳＴＥＰ４５）、保守者Ａのログアウト処理は完了となる（ＳＴＥＰ４６）。
【００２９】
以下に、保守者Ｂがログインを行う場合について説明する。
【００３０】
まず、保守者Ｂが第２の端末２０を利用してログインを開始する（ＳＴＥＰ３０）と、ログイン制御部１１ａは、通信部１７を通じて保守者Ｂからログインの要求を受け取り、ユーザ情報テーブル１３を参照して保守者Ｂのログイン認証を行う（ＳＴＥＰ３１）。
【００３１】
次に、保守者Ｂのログイン認証が成功すると、ログイン制御部１１ａは、ログイン情報テーブル１４を参照し、保守者Ｂの前回のログイン以降に他のユーザがログインしたかを確認する（ＳＴＥＰ３２）。
【００３２】
ここで、本ケースでは、保守者Ｂの前回のログイン以降に保守者Ａがログインしているため、ログイン制御部１１ａは、ログイン情報テーブル１４を参照し、保守者Ａのログイン日時および作業メモを取得し（ＳＴＥＰ４７）、保守者Ｂが利用する第２の端末２０の第２の表示部２０ａに、保守者Ａのログイン日時および作業メモを表示する（ＳＴＥＰ４８）。
【００３３】
このようにして、保守者Ｂは、ログイン時に保守者Ａが局データを変更したことを知ることができる。
【００３４】
このようにして得られた本実施形態では、ログイン時に、ログイン者に対して、他のユーザによる局データの変更に関する事項を記録した作業メモを通知することにより、局データの変更状況を確実かつ容易に把握することができる。
【００３５】
また、局データの変更を行ったユーザは、自身が行った局データの変更内容を他のユーザに通知する必要がなくなる。
【００３６】
また、ログイン時にログイン者に対して通知される通知情報に、局データの変更を行ったユーザを特定するユーザ識別情報が含まれることにより、どのユーザが局データの変更を行ったかを把握することが可能であるため、円滑な保守業務を実現できる。
【００３７】
また、ログアウト時にログアウト者に対して作業メモの作成を要求することにより、局データの変更に関する目的や概要を忘れずに記録しておくことができる。
【００３８】
また、ログアウト者に対して作業メモの作成を要求する際に、ログアウト者がログイン中に変更した局データを、ログアウト者に通知することにより、自らが変更した局データを確認しながら作業メモを作成することが可能であるため、円滑な作業メモの作成が可能になる。
【００３９】
なお、上述した第１実施形態では、ログイン時にログイン者に対して通知される通知情報に、他のユーザのログイン日時、作業メモが含まれるものとして説明したが、通知情報の具体的態様はこれに限定されない。例えば、通知情報に、上記の情報に加えて変更した局データの詳細を含めてもよい。
【００４０】
また、上述した第１実施形態では、ログイン時にログイン者に対して、他のユーザのログイン情報（すなわち、ログイン情報テーブル１４に格納された情報）を抽出して表示したが、ログイン者自身が前回ログイン時のログイン情報を通知することも可能である。これにより、前回の作業内容を確認することが可能となる。
【００４１】
つぎに、本発明の第２実施形態である局データ管理システムについて、図７乃至図１０に基づいて以下に説明する。なお、以下には、第１実施形態との相違点のみを説明する。
【００４２】
まず、第２実施形態における局データ管理システムの処理フローについて、以下に説明する。
【００４３】
以下においては、図７に概略的に示すように、保守者Ａが電子式自動構内交換機１０にログインした後に、保守者Ｂが電子式自動構内交換機１０にログインすると、保守者Ｂに、既に保守者Ａがログイン済みである旨を通知し、保守者Ａに保守者Ｂがログインした旨を通知することと、保守者Ｂがログアウトした時に、保守者Ａに保守者Ｂの作業内容を通知する流れを、説明する。ユーザ情報テーブル１３には、局データを保守する保守者のユーザ識別情報が予め登録されている。
【００４４】
まず、図８に示すように、保守者Ａが第１の端末１９を利用してログインを開始する（ＳＴＥＰ３０）と、ログイン制御部１１ａは、通信部１７を通じて保守者Ａからログインの要求を受け取り、ユーザ情報テーブル１３を参照して保守者Ａのログイン認証を行う（ＳＴＥＰ３１）。
【００４５】
次に、保守者Ａのログイン認証が成功すると、ログイン制御部１１ａは、ログイン情報テーブル１４を参照し、保守者Ａの前回のログイン以降に他のユーザがログインしたかを確認する（ＳＴＥＰ３２）。
【００４６】
次に、ログイン制御部１１ａは、ログイン情報テーブル１４を参照し、既にログインしているユーザがいないかを確認する（ＳＴＥＰ５０）。
【００４７】
ここで、既にログインしているユーザがいない場合は、ログイン制御部１１ａは、ログインを要求したユーザと、内部時計１６を参照して取得したログイン日時（Ｘ）とをログイン情報テーブル１４に保存し（ＳＴＥＰ５１）、保守者Ａのログイン処理は完了となる（ＳＴＥＰ３４）。このとき、ログイン情報テーブル１４は、保守者Ａのユーザ識別情報と、ログイン日時とが書き込まれた状態になっている。
【００４８】
次に、保守者Ｂが第２の端末２０を利用してログインを開始する（ＳＴＥＰ３０）と、ログイン制御部１１ａは、保守者Ｂのログイン認証を行い（ＳＴＥＰ３１）、前回の保守者Ｂのログイン以降に他のユーザがログインしたかを確認する（ＳＴＥＰ３２）。
【００４９】
次に、ログイン制御部１１ａは、ログイン情報テーブル１４を参照し、既にログインしているユーザがいないか確認する（ＳＴＥＰ５０）。
【００５０】
このとき、ログイン情報テーブル１４には保守者Ａのユーザ識別情報とログイン日時が書き込まれているが、保守者Ａのログアウト日時が書き込まれていないため、ログイン制御部１１ａは、保守者Ａがログイン中であると判断する（ＳＴＥＰ５０）。
【００５１】
次に、既にログインしているユーザがある場合、ログイン制御部１１ａは、ログイン者である保守者Ｂの情報を保持し、ログイン情報テーブル１４を参照し、既にログインしている保守者Ａの情報と、保守者Ａのログイン日時を保持する（ＳＴＥＰ５２）。
【００５２】
次に、ログイン制御部１１ａは、局データ変更履歴テーブル１５を参照し、既にログインしている保守者Ａが局データを変更しているかを確認し（ＳＴＥＰ５３）、第２の表示部２０ａを用いて保守者Ｂに対して、既にログインしている保守者Ａの情報と局データの変更の有無を表示し（ＳＴＥＰ５４）、第１の表示部１９ａを用いて保守者Ａに対して、保守者Ｂがログインした旨を表示する（ＳＴＥＰ５５）。
【００５３】
次に、ログイン制御部１１ａは、保守者Ｂのユーザ識別情報とログイン日時をログイン情報テーブル１４に保存し（ＳＴＥＰ５１）、保守者Ｂのログイン処理は完了となる（ＳＴＥＰ３４）。
【００５４】
ここで、保守者Ｂが局データの変更を行った場合の動作は、上述した第１実施形態で説明したＳＴＥＰ３５〜ＳＴＥＰ３９と同様である。
【００５５】
次に、保守者Ｂがログアウトを開始する（ＳＴＥＰ４０）と、ログアウト制御部１１ｂは、上述した第１実施形態で説明したＳＴＥＰ４０〜ＳＴＥＰ４５の動作を行い、ログイン情報テーブル１４を参照し、既にログインしているユーザがいないかを確認する（ＳＴＥＰ５６）。ここで、保守者Ａが既にログインしているユーザとして検出する方法は、ＳＴＥＰ５０で説明した方法と同様である。
【００５６】
次に、既にログインしているユーザがある場合、ログアウト制御部１１ｂは、ログイン情報テーブル１４を参照し、既にログインしているユーザ情報を保持し（ＳＴＥＰ５７）、第１の表示部１９ａを用いて保守者Ａに対し、ログイン者である保守者Ｂの情報と、（ＳＴＥＰ４３）で保持しておいた保守者Ｂの作業メモの情報を表示する（ＳＴＥＰ５８）。
【００５７】
このようにして得られた第２実施形態では、あるユーザがログイン中に他のユーザがログインした場合であっても、他のユーザのログイン状況及び局データの変更状況を把握することが可能であるため、より円滑な局データの保守業務を実現できる。
【００５８】
つぎに、本発明の第３実施形態である局データ管理システムについて、図１１及び図１２に基づいて以下に説明する。なお、以下には、第１及び第２実施形態との相違点のみを説明する。
【００５９】
まず、第１及び第２実施形態との構成上の相違点として、第３実施形態の局データ管理システムでは、図１１に示すように、中央制御部１１が、ログイン制御部１１ａ等に加えて、確認部１１ｄを有している。
【００６０】
以下に、第３実施形態における局データ管理システムの処理フローについて、図１２に基づいて説明する。
【００６１】
以下においては、保守者Ａが電子式自動構内交換機１０にログインした後に、保守者Ｂが電子式自動構内交換機１０にログインし、保守者Ｂが局データを変更した後に、保守者Ａが確認コマンドを送信することで、保守者Ｂのユーザ情報と、保守者Ｂが変更した局データの内容とを取得する流れを説明する。なお、保守者Ａ、Ｂのログイン処理と局データの変更処理とは、第２実施形態に示す通り実施されていることとする。
【００６２】
まず、図１２に示すように、保守者Ａが第１の端末１９から確認コマンドを送信すると（ＳＴＥＰ６０）、確認部１１ｄは、確認コマンドを送信した保守者Ａの情報を保持し（ＳＴＥＰ６１）、ログイン情報テーブル１４を参照し、既にログインしている他のユーザがいないかを確認する（ＳＴＥＰ６２）。
【００６３】
ここで、既にログインしているユーザがある場合は、ログイン情報テーブル１４を参照し、既にログインしているユーザである保守者Ｂの情報を保持する（ＳＴＥＰ６３）。
【００６４】
次に、確認部１１ｄは、局データ変更履歴テーブル１５を参照し、既にログインしているユーザが変更した局データを取得し（ＳＴＥＰ６４）、第１の端末１９を用いて保守者Ａに対して、既にログインしているユーザである保守者Ｂの情報と、保守者Ｂが変更した局データを通知する（ＳＴＥＰ６５）。
【００６５】
このようにして得られた第３実施形態では、ユーザが任意のタイミングで他のユーザの局データの変更状況を確認することが可能であるため、より円滑な局データの保守業務を実現できる。
【符号の説明】
【００６６】
１０    ・・・  電子式自動構内交換機
１１    ・・・  中央制御部
１１ａ  ・・・  ログイン制御部（ログイン制御手段）
１１ｂ  ・・・  ログアウト制御部（ログイン制御手段）
１１ｃ  ・・・  局データ変更部（ログイン制御手段）
１１ｄ  ・・・  確認部（ログイン制御手段）
１２    ・・・  局データ記憶部
１３    ・・・  ユーザ情報テーブル
１４    ・・・  ログイン情報テーブル
１５    ・・・  局データ変更履歴テーブル
１６    ・・・  内部時計
１７    ・・・  通信部
１８    ・・・  記憶部
１９    ・・・  第１の端末
１９ａ  ・・・  第１の表示部（通知手段）
２０    ・・・  第２の端末
２０ａ  ・・・  第２の表示部（通知手段）
【図１】
2014150499.tif 000003
【図２】
2014150499.tif 000004
【図３】
2014150499.tif 000005
【図４】
2014150499.tif 000006
【図５】
2014150499.tif 000007
【図６】
2014150499.tif 000008
【図７】
2014150499.tif 000009
【図８】
2014150499.tif 000010
【図９】
2014150499.tif 000011
【図１０】
2014150499.tif 000012
【図１１】
2014150499.tif 000013
【図１２】
2014150499.tif 000014